(57)【要約】【課題】条件設定をリセットする際の操作性を向上したカメラを提供する。【解決手段】操作部材１６，１８，２４単独で設定可能な第１の条件群と、表示装置２６に表示された内容を見ながら操作部材２５，２８を用いて設定を変更可能な第２の条件群とを含む撮影及び／又は記録条件のうち、第２の条件群だけを所定の設定にリセットするリセット手段２９を備える。【選択図】　図２
2004045494.tif 000002
【特許請求の範囲】
【請求項１】
撮影及び／又は記録条件を選択設定可能なカメラであって、
前記撮影及び／又は記録条件は、操作部材単独で設定可能な第１の条件群と、表示装置に表示された内容を見ながら操作部材を用いて設定を変更可能な第２の条件群とを含み、
前記第２の条件群だけを所定の設定にリセットするリセット手段を備えたことを特徴とするカメラ。
【請求項２】
撮影及び／又は記録条件を選択設定可能なカメラであって、
前記撮影及び／又は記録条件は、カメラの撮影条件に関する撮影条件群と、撮影した画像の画像処理又は画像記録に関する画像記録条件群とを含み、
前記画像記録条件群のみを所定の設定にリセットするリセット手段を備えたことを特徴とするカメラ。
【請求項３】
フィルムを用いるときの裏蓋を、撮像装置を備えたデジタルバックに交換することでデジタルカメラとして使用可能になるカメラであって、
前記裏蓋が装着されているときに操作されると、選択設定可能な条件群を所定の設定にリセットするリセット手段と、
前記デジタルバックが装着されているときに前記リセット手段が操作されると、前記デジタルバックで設定可能な少なくとも１の撮影及び／又は記録条件の設定を、前記条件群の設定とともにリセットするように制御する制御手段とを備えたことを特徴とするカメラ。
【請求項４】
撮影及び／又は記録条件を選択設定可能なカメラであって、
設定変更可能な前記撮影及び／又は記録条件を、複数の条件群ごとに分類して表示する表示部と、
前記表示部に現に表示されている条件群の条件設定を変更する設定変更部材と、
前記表示部において表示状態にある条件群の条件設定のみを所定の設定にリセットするリセット手段とを備えたことを特徴とするカメラ。
【請求項５】
第１の表示装置に設定内容が表示される第１の撮影及び／又は記録条件群と、
第２の表示装置に設定内容が表示される第２の撮影及び／又は記録条件群と、
前記第１の撮影及び／又は記録条件群を所定の設定にリセットする第１のリセット手段と、
前記第２の撮影及び／又は記録条件群を所定の設定にリセットする第２のリセット手段とを備えたことを特徴とするカメラ。
【発明の詳細な説明】
【０００１】
【発明の属する技術分野】
本発明は、カメラに関する。
【０００２】
【従来の技術】
従来、設定をリセットすることができるカメラが種々提案されている。
【０００３】
例えば、撮影モードが、Ａモード（絞り優先ＡＥ）、Ｓモード（シャッタ速度優先ＡＥ）、Ｍモード（マニュアル設定）のいずれに設定されていても、Ｐリセット釦を押すことで、Ｐモード（プログラムＡＥ）にリセットできるカメラが提供されている。
【０００４】
また、特開平６−９５１９６号公報には、設定値を常用モードとして記憶しておき、リセット動作で常用モードに復帰設定する、いわゆるカスタムリセットが提案されている。
【０００５】
また、特開平８−１８４８７３号公報には、ダイアル等の操作部材の設定モードとは関係なく所定のモードにリセットするスイッチを有し、リセット時に設定を記憶しておいて、リセット解除で元に戻すことが提案されている。
【０００６】
また、特開平１０−２６８３７４号公報には、全機能使用可能モードと、一部機能使用禁止モードを設定できる撮影モード選択部材で、設定状態を初期値にリセットできるように構成することが提案されている。
【０００７】
【発明が解決しようとする課題】
特に一眼レフタイプのデジタルカメラでは、露出モード、ＡＦモード、フラッシュモード、連写モード、露出補正モード等のフィルムを用いるカメラと同様の条件設定の他に、撮影画像のサイズ・圧縮率の設定や、ホワイトバランス設定などのデジタルカメラ特有の条件設定が可能となっている。
【０００８】
前者のフィルムを用いるカメラと同様の条件設定は、フィルムを用いるカメラと同じように配置された操作部材を、フィルムを用いるカメラと同じような操作で変更可能になっている。
【０００９】
後者のデジタルカメラ特有の条件設定は、モニタに設定内容を表示させながら、アップダウンキーや決定釦で変更するようになっている場合が多い。
【００１０】
このように表示画面を見ながらアップダウンキーや決定釦を用いて設定すると、設定位置と設定内容とが対応するダイアル操作部材などとは異なり、操作部材を見ても設定値は分からない。また、表示画面上で行う設定を元に戻すのにも手間がかかる。
【００１１】
したがって、本発明が解決しようとする技術的課題は、条件設定をリセットする際の操作性を向上したカメラを提供することである。
【００１２】
【課題を解決するための手段】
本発明は、上記技術的課題を解決するために、以下の構成のカメラを提供する。
【００１３】
請求項１に記載された本発明のカメラは、撮影及び／又は記録条件を選択設定可能である。前記撮影及び／又は記録条件は、操作部材単独で設定可能な第１の条件群と、表示装置に表示された内容を見ながら操作部材を用いて設定を変更可能な第２の条件群とを含む。本発明のカメラは、前記第２の条件群だけを所定の設定にリセットするリセット手段を備える。
【００１４】
上記構成において、操作部材は、例えばダイアル、レバー、釦などであり、第１の条件群と第２の条件群とで共通であっても、異なっていてもよい。撮影及び／又は記録条件は、例えば、露出などの撮影に関する条件や、画像サイズ、圧縮率などの画像データの処理や記録に関する条件など、各種のものを含む。
【００１５】
上記構成によれば、リセット手段を用いて、第１の条件群はそのままで、第２の条件群だけを簡単な操作で直ちにリセットすることができる。
【００１６】
例えば、第１の条件群に露出などの撮影条件を含め、第２の条件群に画像データの処理や記録などに関するデジタルカメラ特有の画像記録条件を含めれば、撮影条件はそのままにして、画像記録条件を容易かつ迅速に所定の設定に戻すことができる。撮影条件は変更されず、保持されるので、次の撮影を速やかに行うことが可能である。
【００１７】
したがって、条件設定をリセットする際の操作性を向上できる。
【００１８】
請求項２に記載された本発明のカメラは、撮影及び／又は記録条件を選択設定可能である。前記撮影及び／又は記録条件は、カメラの撮影条件に関する撮影条件群と、撮影した画像の画像処理又は画像記録に関する画像記録条件群とを含む。本発明のカメラは、前記画像記録条件群のみを所定の設定にリセットするリセット手段を備える。
【００１９】
上記構成によれば、リセット手段を用いて、撮影条件群はそのままで、画像記録条件群だけを簡単な操作で直ちにリセットすることができる。撮影条件群は変更されず、保持されるので、次の撮影を速やかに行うことが可能である。
【００２０】
したがって、条件設定をリセットする際の操作性を向上できる。
【００２１】
請求項３に記載された本発明のカメラは、フィルムを用いるときの裏蓋を、撮像装置を備えたデジタルバックに交換することでデジタルカメラとして使用可能になるカメラである。本発明のカメラは、リセット手段と、制御手段とを備える。前記リセット手段は、前記裏蓋が装着されているときに操作されると、選択設定可能な条件群を所定の設定にリセットする。前記制御手段は、前記デジタルバックが装着されているときに前記リセット手段が操作されると、前記デジタルバックで設定可能な少なくとも１の撮影及び／又は記録条件の設定を、前記条件群の設定とともにリセットするように制御する。
【００２２】
上記構成において、カメラは、裏蓋装着時にはフィルムを用いるカメラとして使用でき、デジタルバック装着時にはデジタルカメラとして使用できる。デジタルバックは、デジタルカメラ特有の撮影及び／又は記録条件を設定可能であり、設定された少なくとも１の撮影及び／又は記録条件は、制御手段からリセットするように制御される。
【００２３】
上記構成によれば、デジタルカメラとして使用するときにリセット手段を用いれば、フィルムを用いるカメラとデジタルカメラで共通の、例えば露出モード等の条件群のみならず、デジタルカメラ特有の条件の少なくとも一部も、同時にリセットすることができる。
【００２４】
したがって、条件設定をリセットする際の操作性を向上できる。
【００２５】
請求項４に記載された本発明のカメラは、撮影及び／又は記録条件を選択設定可能である。本発明のカメラは、表示部と、設定変更部材と、リセット手段とを備える。前記表示部は、設定変更可能な前記撮影及び／又は記録条件を、複数の条件群ごとに分類して表示する。前記設定変更部材は、前記表示部に現に表示されている条件群の条件設定を変更する。前記リセット手段は、前記表示部において表示状態にある条件群の条件設定のみを所定の設定にリセットする。
【００２６】
上記構成によれば、リセット手段により、表示部に現に表示されている画面内の条件設定のみがリセットされ、表示されていない条件設定についてはリセットされないので、表示の有無により、リセットの対象となる条件設定を正確に知ることができる。
【００２７】
したがって、条件設定をリセットする際の操作性を向上できる。
【００２８】
請求項５に記載された本発明のカメラは、第１の表示装置に設定内容が表示される第１の撮影及び／又は記録条件群と、第２の表示装置に設定内容が表示される第２の撮影及び／又は記録条件群と、前記第１の撮影及び／又は記録条件群を所定の設定にリセットする第１のリセット手段と、前記第２の撮影及び／又は記録条件群を所定の設定にリセットする第２のリセット手段とを備える。
【００２９】
上記構成によれば、表示装置ごとに異なるリセット手段を用いるので、それぞれ独立してリセットすることができる。また、リセット内容を区別しやすい。
【００３０】
したがって、条件設定をリセットする際の操作性を向上できる。
【００３１】
【発明の実施の形態】
以下、本発明実施の形態として実施例を図１〜図８に基づいて説明する。
【００３２】
まず、第１実施例のデジタルカメラについて、図１の外観図を参照しながら説明する。
【００３３】
第１実施例のデジタルカメラ２は、カメラ本体１２に装着するレンズ１０を交換可能な一眼レフタイプのものである。
【００３４】
カメラ本体１２の上部には、従来のフィルムを用いるカメラと同様に、シャッタースタート釦１４、前ダイアル１６、露出モード設定ダイアル１８、ＡＦロック釦２１、ＡＥロック釦２２、後ダイアル２４などの操作部材が配置されている。
【００３５】
シャッタースタート釦１４は、途中まで押すと、撮影準備動作をさせるスイッチＳ１がＯＮになり、完全に押し込むと、記録する画像を取り込むための露光（以下、この動作を単に「露光」と呼ぶ。）を開始させるスイッチＳ２がＯＮになる。
【００３６】
露出モード設定ダイアル１８は、回転式ダイアルであり、その回転位置により、露出モード、すなわち、Ｐモード（プログラムＡＥ）、Ａモード（絞り優先ＡＥ）、Ｓモード（シャッター速度優先ＡＥ）、Ｍモード（マニュアル）を設定できる。それぞれの露出モードにおいて、前ダイアル１６又は後ダイアル２４を回転することにより、絞り値やシャッター速度を変更できる。なお、前ダイアル１６及び後ダイアル２４は、概ね同じ機能を持っている。
【００３７】
次の表１に示すように、露出モード設定ダイアル１８、前ダイアル１６及び後ダイアル２４を用いて、露出モードその他の撮影条件の項目について設定を変更できる。設定欄の先頭が、初期設定である。
【表１】
2004045494.tif 000003
【００３８】
デジタルカメラ特有の部材として、図１（ｂ）に示すように、カメラ本体１２の背面には、モードダイアル２０、ジョグダイアル２５、液晶モニタすなわち液晶表示部２６、設定釦２８、デジタルリセット釦２９が配置されている。
【００３９】
モードダイアル２０は、３つのポジションを持つ回転式のダイアルであり、日付の設定、オートパワーオフの有無等、カメラ全体の各種設定を行うセットアップモード、デジタルカメラ２を撮影に使用する撮影モード、液晶表示部２６に画像を再生する再生モードのいずれかを選択できる。
【００４０】
ジョグダイアル２５は、上下左右にスイッチが配置されている。例えば、多点ＡＦエリアの中からエリアを選択するときには、ジョグダイアル２５の上下左右を適宜に押すことにより、手動で一つのエリアを選択することができる。液晶表示部２６の画面上に表示された項目について設定を変更するときには、ジョグダイアル２５の上又は下を押す。
【００４１】
設定釦２８を押すと、液晶表示部２６の画面上に設定変更したい項目を呼び出すことができる。デジタルリセット釦２９を押すと、液晶表示部２６の画面上に表示され設定変更可能な全ての項目について、初期設定にリセットされる。
【００４２】
次の表２は、液晶表示部２６の画面上に表示され、ジョグダイアル２５で設定を変更できる項目と、各項目における選択可能な設定とをまとめたものである。設定欄の先頭（下線を施した項目）が、デジタルリセット釦２９でリセットされる初期設定である。
【表２】
2004045494.tif 000004
【００４３】
画像サイズは、画像ファイルの画素数を示す。画質モードについては、ＦＩＮＥ（ファイン），ＳＴＤ（スタンダード），ＥＣＯＮ（エコノミー），ＲＡＷ（撮像時に最初に得られるＲＡＷデータ）を設定できる。ホワイトバランスは、光源光の種類を設定できる。
【００４４】
なお、デジタルリセット釦２９は、表２の画像処理又は画像記録に関する項目のみをリセットすることができ、表１の撮影条件に関する項目についてはリセットできない。つまり、デジタルリセット釦２９は、表１の第１の条件群と、表２の第２の条件群とを含む撮影及び／又は記録条件のうち、表２の第２の条件群だけを所定の設定にリセットするリセット手段として機能する。
【００４５】
次に、第２実施例のデジタルカメラについて、図２、図４〜図８を参照しながら説明する。
【００４６】
第２実施例のデジタルカメラ４は、図２の外観図に示すように、カメラ本体３２の片側にレンズ３０が配置されている。
【００４７】
カメラ本体３２の上部には、ファインダ３３、シャッタースタート釦３４、シーンセレクタ釦３５、回転ダイアル３６、Ｐリセット釦３７、第１ダイアル３８、第２ダイアル３９、液晶パネルすなわち第１表示部４０が配置されている。
【００４８】
シーンセレクタ釦３５を押すごとに、ポートレートモード、スポーツモード、風景モード、夜景モードを順に選択することができる。
【００４９】
第１ダイアル３８は、その回転位置により、ＯＦＦ、カメラモード、再生モード、動画記録モード、セットアップを選択できる。
【００５０】
第２ダイアル３９は、その回転位置により、露出モード、フラッシュモード、セルフタイマー、ドライブモードが選択できる。回転ダイアル３６を回転すると、各モードにおける設定を切り替えることができる。
【００５１】
第１表示部４０には、シーンセレクタ釦３５、回転ダイアル３６、第２ダイアル３９で設定された設定内容が表示される。
【００５２】
次の表３は、主にカメラ本体３２の上部に配置された操作部材３５，３６，３９で設定可能な項目ごとの設定を示す。設定欄の先頭が、初期設定である。
【表３】
2004045494.tif 000005
【００５３】
表３の各項目の設定は、第１表示部４０に表示され、Ｐリセット釦３７を押すと初期設定（設定欄の先頭の下線を施した項目）にリセットされる。例えば、露出モードについては、Ｐ（プログラム）モードにリセットされる。
【００５４】
カメラ本体３２の背面には、液晶モニタすなわち第２表示部４２、メニュー釦４４、ＡＦロック釦４６、ジョグダイアル４８、デジタルリセット釦４９が配置されている。
【００５５】
第２表示部４２は、メニュー釦４４を押すと設定表示画面になる。設定表示画面に表示された項目や設定は、ジョグダイアル４８を用いて変更することができる。
【００５６】
設定表示画面に表示される項目は、次の表４に示すように、「基本」、「応用１」、「応用２」に分類される。設定欄の先頭が、初期設定である。
【表４】
2004045494.tif 000006
【００５７】
「基本」の項目は、撮影時の焦点調節、測光、フラッシュモードなど、撮影時に必ず設定されなければならない撮影条件に関する項目である。「基本」の項目は、Ｐリセット釦３７により初期設定（設定欄の先頭の下線を施した項目）にリセットされる。
【００５８】
「応用１」は、ブラケット撮影時、インターバル撮影時など、特定の撮影時にのみ設定が必要となる設定条件である。「写し込み」とは、日付やシリアルＮｏ．などを撮影画像に重ね、画像データとして作成するものであり、画像データに対応するタグ情報として記録するものとは異なる。「応用１」の項目については、特にリセットするための部材を設けていない。例えば、Ｐリセット釦３７でもデジタルリセット釦４９でも、リセットできない。
【００５９】
「応用２」の項目は、撮像中、撮像後の画像データの扱い（処理）に関するデジタルカメラ特有の設定に関する。「応用２」の各項目は、デジタルリセット釦４９を押すと、初期設定にリセットすることができる。
【００６０】
つまり、デジタルリセット釦４９は、表３と表４の「基本」及び「応用１」との撮影条件群と、表４の「応用２」の画像記録条件群とを含む撮影及び／又は記録条件のうち、表４の「応用２」の画像記録条件群のみを所定の設定にリセットするリセット手段として機能する。
【００６１】
次に、第２表示部４２の画面表示について、図４〜図６を参照しながら説明する。なお、図４〜図６では、一部の項目しか表示されていないが、表示が上下にスクロールすることにより全ての項目が順次表示される。
【００６２】
メニュー釦４４を押すと、設定変更のモードに入り、図４（ａ）に示すように、第２表示部４２には、「基本」、「応用１」、「応用２」のシートが重ねて表示される。各シートのタブの「基本」、「応用１」、「応用２」のいずれかの分類表示が反転表示され、反転表示されているシートが最も手前に表示される。すなわち、最も手前には、アクティブなシートが表示される。シートの選択は、ジョグダイアル４８の左右方向のクリックで行う。例えば、初期状態では図４（ａ）に示したように「基本」のシートがアクティブ表示され、ジョグダイアル４８を右方向クリックすると、図４（ｂ）のように「応用１」のシートがアクティブ表示され、さらにジョグダイアル４８を右方向クリックすると、図４（ｃ）のように「応用２」のシートがアクティブ表示される。ジョグダイアル４８を左方向クリックすると、戻すことができる。あるいは更にジョグダイアル４８を右方向クリックすることで「基本」に戻るように構成してもよい。
【００６３】
シートの選択後、ジョグダイアル４８を下方向クリックすると、最も手前のシートについて項目表示が上から順に反転表示される。ジョグダイアル４８を上方向クリックするごとに、項目を一つ上に戻すことができる。例えば、「基本」シートがアクティブ表示されているときに、ジョグダイアル４８を下方向に２回クリックすると、図５（ａ）に示すように、「測光モード」の項目表示が反転表示される。
【００６４】
ジョグダイアル４８を右方向クリックすると、反転表示は、左側の項目表示から右側の設定表示に移動し、設定表示が反転表示されている。例えば、図５（ａ）の状態でジョグダイアル４８を右方向クリックすると、図５（ｂ）のように、「多分割測光」の設定表示が反転表示される。
【００６５】
次に、ジョグダイアル４８を下方向にクリックすると、設定表示を切り替えることができる。図５（ｂ）の状態でジョグダイアル４８を下方向に２回クリックすると、図５（ｃ）に示すように、「多分割測光」の設定表示が「スポット測光」の設定表示に切り替わる。ジョグダイアル４８の中央を押すと、設定が確定する。
【００６６】
前述のように、第２表示部４２に表示される項目中、「応用２」のシートの項目について、デジタルリセット釦４９によりリセットされる。
【００６７】
すなわち、図６（ａ）に示すように「応用２」のシートが選択された状態でデジタルリセット釦４９を押すと、図６（ｂ）に示すように「応用２」の全ての項目が初期設定に戻る。
【００６８】
つまり、第２表示部４２は「表示部」、ジョグダイアル４８は「設定変更部材」、デジタルリセット釦４９は「リセット手段」として機能する。
【００６９】
なお、ユーザー設定により、「応用１」の項目について、Ｐリセット釦３７又はデジタルリセット釦４９のいずれかでリセットするような設定あるいは操作を設けてもよい。
【００７０】
第２実施例の変形例としては、カメラ上面の第１表示部４０に表示される項目はＰリセット釦３７で、カメラ背面の第２表示部４２に表示される項目はデジタルリセット釦４９で、それぞれ初期設定にリセットするようにしてもよい。この場合、第１表示部４０は「第１の表示装置」、第２表示部４２は「第２の表示装置」、Ｐリセット釦３７は「第１のリセット手段」、デジタルリセット釦４９は「第２のリセット手段」として機能する。
【００７１】
次に、カメラ４の動作について、図７及び図８を参照しながら説明する。
【００７２】
カメラ４が起動すると（＃１０）、第１ダイアル２８の状態を調べ（＃１２）、再生モードであれば再生モードのルーチンを実行する。
【００７３】
カメラモードであれば、ＲＡＭ等の記録媒体に一時的に記憶したデジタルカメラとしての条件設定を読み出し（＃１４）、各スイッチの状態をチェックする（＃１６）。そして、設定を変更するモードであるか否かを判定する（＃１８）。設定を変更するモードであれば（＃１８でＹＥＳ）、設定を変更し（＃２０）、設定を終了する（＃２２）と、ステップ＃２４に進む。設定を変更するモードでなければ（＃１８でＮＯ）、ステップ＃２４に進む。
【００７４】
ステップ＃２４では、デジタルリセット釦４９がＯＮであるか判別する（＃２４）。ＯＮであれば（＃２４でＹＥＳ）、初期設定を読み出して設定し（＃２６）、ステップ＃２８に進む。ＯＮでなければ（２４でＮＯ）、ステップ＃２８に進む。
【００７５】
ステップ＃２８において、スイッチＳ１がＯＮであるか否かを判別し、ＯＮでなければ（＃２８でＮＯ）、ステップ＃１６に戻る。ＯＮであれば（＃２８でＹＥＳ）、ＡＥ演算（＃３０）、ＡＦ演算（＃３２）、焦点調節（＃３４）を行う。
【００７６】
次に、ステップ＃３６において、スイッチＳ２がＯＮであるか否かを判別する（＃３６）。スイッチＳ２がＯＮでなければ（＃３６でＮＯ）、ステップ＃２８に戻る。スイッチＳ２がＯＮであれば（＃３６でＹＥＳ）、露光動作（＃３８）、画像データの保存（＃４０）を行い、ステップ＃１６に戻る。
【００７７】
次に、第３実施例のカメラについて、図３を参照しながら説明する。
【００７８】
第３実施例のカメラ６は、フィルムを用いるカメラとして使用するときの裏蓋を、電子撮像装置を搭載したデジタルバック５０に交換することにより、デジタルカメラとしても使用可能となる。図３は、カメラ本体５２にデジタルバック５０を装着した状態を示す。カメラ本体５２のマイクロコンピュータ（図示せず）は、裏蓋装着時もデジタルバック装着時も、カメラ全体の制御を統括する。
【００７９】
カメラ本体５２の上部には、第１及び第２実施例と略同様に、操作部材が配置されている。これらの操作部材は、フィルムを用いるカメラとして使用するときも、デジタルカメラとして使用するときも、同様の役割・機能を持つ。
【００８０】
ただし、フィルムを用いるカメラとして使用するときに露出モードをプログラムモードにリセットする操作部材であるＰリセット釦５６は、後述するように、デジタルカメラとして使用するときに、デジタルカメラ特有の項目のリセット機能が追加される。
【００８１】
デジタルバック５０には、メインスイッチ及びモードダイアル５４、ジョグダイアル５８、液晶モニタ６０、デジタルリセット釦６４、設定釦６６などが配置され、内部には、撮像素子、メモリーなどが設けられ、カメラ本体５２と連携しながら動作するようになっている。
【００８２】
液晶モニタ６０は、開閉できるようになっていて、図３（ｂ）に示した開状態では、表示画面６２とデジタルリセット釦６４が現れる。表示画面６２とデジタルリセット釦６４は、図３（ａ）に示したように液晶モニタ６０を閉じた収納状態では、隠れる。
【００８３】
メインスイッチ及びモードダイアル５４は、４つのポジションを持つ回転式のダイアルであり、カメラ６をデジタルカメラとして用いるときの各種設定を行うセットアップモード、デジタルカメラとして撮影に使用する撮影モード、液晶モニタ６０の表示画面６２に画像を再生する再生モード、デジタルバック５０の電源ＯＦＦのいずれかを選択できる。
【００８４】
液晶モニタ６０の表示画面６２を見ながら、第１実施例と同様に、設定釦６６により項目を選択し、ジョグダイアル５８により条件設定を変更することにより、デジタルカメラとして用いるときのデジタルカメラ特有の各種設定を行うことができる。
【００８５】
デジタルバック５０で設定した項目の一部は、Ｐリセット釦５６を押すと、フィルムを用いるカメラとデジタルカメラとで共通の条件設定とともに、初期設定にリセットされる。
【００８６】
すなわち、デジタルバック５０を装着したとき、カメラ６（正確には、カメラ本体５２内のマイクロコンピュータ）はデジタルバック５０を検出すると、例えば次の表５のように、Ｐリセット釦５６で初期設定にリセットする項目として、フィルムを用いるときにリセットする項目に、デジタルバック５０で設定したデジタルカメラ特有の項目（画像サイズ、画質）を加える。つまり、カメラ本体５２内のマイクロコンピュータは、制御手段として機能する。
【表５】
2004045494.tif 000007
【００８７】
一方、液晶モニタ６０の表示画面６２上で設定する項目のうち、Ｐリセット釦５６で初期設定にリセットする項目以外の項目については、デジタルバック６０に設けたデジタルリセット釦６４を押すことにより、初期設定にリセットすることができる。
【００８８】
以上説明したように、表示画面上で行うデジタルカメラ特有のデータの処理や記録などに関する設定は、デジタルリセット釦２９，４９，６４やＰリセット釦５６を押すという簡単な操作によって、直ちにリセットすることができるので、次の撮影を速やかに行うことができる。一方、デジタルリセット釦２９，４９，６４を押しても、撮影条件など、デジタルカメラ非特有の設定は、変更せずに保持できる。表示部別に設定内容をリセットできるので、それぞれ独立してリセット可能となり、リセット内容を区別しやすい。
【００８９】
なお、本発明は上記実施例に限定されるものではなく、その他種々の態様で実施可能である。
【図面の簡単な説明】
【図１】本発明の第１実施例を示すデジタルカメラの外観図である。
【図２】本発明の第２実施例を示すデジタルカメラの外観図である。
【図３】本発明の第３実施例を示すデジタルバックを装着可能なカメラの外観図である。
【図４】図２のカメラにおける画面表示の説明図である。
【図５】図２のカメラにおける画面表示の説明図である。
【図６】図２のカメラにおける画面表示の説明図である。
【図７】図２のカメラの動作についてのフローチャートである。
【図８】図７の続きのフローチャートである。
【符号の説明】
２，４　デジタルカメラ（カメラ）
６　カメラ
１６　前ダイアル（操作部材）
２４　後ダイアル（操作部材）
２５　ジョグダイアル（操作部材）
２６　液晶表示部（表示装置）
２９　デジタルリセット釦（リセット手段）
３７　Ｐリセット釦（第１のリセット手段）
４０　第１表示部（第１の表示装置）
４２　第２表示部（第２の表示装置）
４８　ジョグダイアル（設定変更部材）
４９　デジタルリセット釦（リセット手段、第２のリセット手段）
５０　デジタルバック
５６　Ｐリセット釦（リセット手段）
【図１】
2004045494.tif 000008
【図２】
2004045494.tif 000009
【図３】
2004045494.tif 000010
【図４】
2004045494.tif 000011
【図５】
2004045494.tif 000012
【図６】
2004045494.tif 000013
【図７】
2004045494.tif 000014
【図８】
2004045494.tif 000015